(57)【要約】【課題】コーリングカードのカード情報をコーリングカード対応機能付き電話装置に記憶させるに際してセキュリティを高める。【解決手段】車載ナビゲーション装置２は、装置電源がオフからオンに切換わると、車載ナビゲーション装置２と携帯電話機３との間でＢＴ通信回線が接続されてＯＰＰが接続され、ユーザが携帯電話機３を操作することで当該携帯電話機３に記憶されているカード情報が当該携帯電話機３から転送されて記憶部７に記憶される。【選択図】図１
2010232824.tif 000002
【特許請求の範囲】
【請求項１】
コーリングカードのカード情報を記憶するカード情報記憶手段と、
前記カード情報記憶手段に記憶されているカード情報を用いた通話を電話通信手段により行う制御手段と、
携帯電話機に記憶されているコーリングカードのカード情報を携帯電話機から受信するカード情報受信手段とを備え、
前記制御手段は、携帯電話機に記憶されているコーリングカードのカード情報を携帯電話機から前記カード情報受信手段に受信可能とし、携帯電話機に記憶されているコーリングカードのカード情報が携帯電話機から前記カード情報受信手段に受信された場合に、当該カード情報受信手段に受信されたコーリングカードのカード情報を前記カード記憶手段に記憶させることを特徴とするコーリングカード対応機能付き電話装置。
【請求項２】
請求項１に記載したコーリングカード対応機能付き電話装置において、
装置電源のオフからオンへの切換えを判定する装置電源オン判定手段と、
携帯電話機との間で近距離無線通信回線が接続されている状態でデータ転送を実現するためのデータ転送プロトコルを接続するデータ転送プロトコル接続手段とを備え、
前記制御手段は、装置電源がオフからオンに切換わったと前記装置電源オン判定手段が判定した直後に前記データ転送プロトコル接続手段と携帯電話機との間でデータ転送プロトコルが接続されることで、携帯電話機に記憶されているコーリングカードのカード情報が携帯電話機から前記カード情報受信手段に受信可能とすることを特徴とするコーリングカード対応機能付き電話装置。
【請求項３】
請求項１又は２に記載したコーリングカード対応機能付き電話装置において、
装置電源のオンからオフへの切換えを判定する装置電源オフ判定手段を備え、
前記制御手段は、装置電源がオンからオフに切換わったと前記装置電源オン判定手段が判定した直後に、前記カード情報記憶手段に記憶されているカード情報を消去することを特徴とするコーリングカード対応機能付き電話装置。
【請求項４】
請求項１乃至３の何れかに記載したコーリングカード対応機能付き電話装置において、
現在位置を表す位置情報を取得する位置情報取得手段を備え、
前記カード情報記憶手段は、複数のコーリングカードの個々に対応する複数のカード情報を同時に記憶可能であり、
前記制御手段は、前記カード情報記憶手段に記憶されている複数のカード情報のうち前記位置情報取得手段が取得した位置情報に対応するカード情報を選択し、当該選択したカード情報を用いた通話を前記電話通信手段により行うことを特徴とするコーリングカード対応機能付き電話装置。
【発明の詳細な説明】
【技術分野】
【０００１】
本発明は、コーリングカードのカード情報を用いた通話を可能するコーリングカード対応機能付き電話装置に関する。
【背景技術】
【０００２】
従来より、コーリングカードのカード情報を用いた通話を可能するコーリングカード対応機能付き電話装置が供されている。このものでは、ユーザは、コーリングカードの表面に記載されているカード情報（アクセス番号及びＰＩＮコード）を電話装置に入力して記憶させ、続いて通話相手先の電話番号を直接入力したり電話帳データを参照して選択したりすることで、電話装置からアクセス番号を発信電話番号としてセンター（コーリングカードのカード情報を用いた通話サービスを提供するセンター）に発信し、電話装置からセンターに送信されたＰＩＮコードの認証結果が正であることを条件として、電話装置と通話相手先との間で通話回線が接続されて通話することが可能となる（例えば特許文献１乃至３参照）。
【特許文献１】特開平５−２２４７７号公報
【特許文献２】特開平１１−２３９２３２号公報
【特許文献３】特開平５−１２２４０８号公報
【発明の開示】
【発明が解決しようとする課題】
【０００３】
コーリングカードのカード情報を用いた通話を可能とするには、カード情報が電話装置に予め記憶されている必要がある。ここで、ユーザがカード情報を電話装置に記憶させる方法としてはユーザが電話装置を直接操作することでカード情報を電話装置に記憶させる方法がある。しかしながら、ユーザが電話装置を操作する環境が例えば電話装置の設置場所や構造等により限られていると、ユーザがカード情報を入力する一連の操作が第三者に見られ、その結果、ユーザが入力するカード情報が第三者に見られてしまうという虞があり、セキュリティを確保することができないという問題がある。特許文献１乃至３には上記した問題を解消する具体的な提案は開示されていない。
【０００４】
本発明は、上記した事情に鑑みてなされたものであり、その目的は、コーリングカードのカード情報をコーリングカード対応機能付き電話装置に記憶させるに際してセキュリティを高めることができるコーリングカード対応機能付き電話装置を提供することにある。
【課題を解決するための手段】
【０００５】
請求項１に記載した発明によれば、制御手段は、カード情報記憶手段に記憶されているカード情報を用いた通話を電話通信手段により行う。ここで、制御手段は、携帯電話機に記憶されているコーリングカードのカード情報を携帯電話機からカード情報受信手段に受信可能とし、携帯電話機に記憶されているコーリングカードのカード情報が携帯電話機からカード情報受信手段に受信されると、当該カード情報受信手段に受信されたコーリングカードのカード情報をカード記憶手段に記憶させる。
【０００６】
これにより、ユーザがカード情報をコーリングカード対応機能付き電話装置に記憶させるには、コーリングカード対応機能付き電話装置を直接操作する必要はなく、携帯電話機を操作することでカード情報を携帯電話機に記憶させた後に、携帯電話機に予め記憶させておいたカード情報を携帯電話機からコーリングカード対応機能付き電話装置に転送させることで、コーリングカード対応機能付き電話装置に記憶させることができる。その結果、ユーザがコーリングカード対応機能付き電話装置を直接操作してカード情報を入力する必要がなくなり、ユーザが携帯可能な携帯電話機を使用することでカード情報を入力する環境の自由度を高めることができ、カード情報が第三者に見られるという状況を回避することができ、セキュリティを高めることができる。
【０００７】
請求項２に記載した発明によれば、制御手段は、装置電源がオフからオンに切換わったと装置電源オン判定手段が判定した直後にデータ転送プロトコル接続手段と携帯電話機との間でデータ転送プロトコルが接続されることで、携帯電話機に記憶されているコーリングカードのカード情報が携帯電話機からカード情報受信手段に受信可能とする。これにより、コーリングカードのカード情報を携帯電話機に予め記憶させておき、その後、装置電源をオンさせて携帯電話機とコーリングカード対応機能付き電話装置との間でデータ転送プロトコルを接続させることにより、携帯電話機に予め記憶させておいたカード情報を携帯電話機からコーリングカード対応機能付き電話装置に転送させることができる。
【０００８】
請求項３に記載した発明によれば、制御手段は、装置電源がオンからオフに切換わったと装置電源オン判定手段が判定した直後に、カード情報記憶手段に記憶されているカード情報を消去する。これにより、装置電源がオフされた後でもカード情報が残っていることで第三者に悪用されることを未然に回避することができ、セキュリティを高めることができる。
【０００９】
請求項４に記載した発明によれば、カード情報記憶手段は、複数のコーリングカードの個々に対応する複数のカード情報を同時に記憶可能であり、制御手段は、カード情報記憶手段に記憶されている複数のカード情報のうち位置情報取得手段が取得した位置情報に対応するカード情報を選択し、当該選択したカード情報を用いた通話を電話通信手段により行う。これにより、複数のコーリングカードの個々に対応する複数のカード情報のうち現在位置に対応するカード情報を用いた通話を行うことができ、現在位置に対応して通信コストが最も安価なコーリングカードを選択して通話を行うことができる。
【図面の簡単な説明】
【００１０】
【図１】本発明の第１の実施形態を示す機能ブロック図
【図２】記憶部のカード情報記憶領域を示す図
【図３】フローチャート（その１）
【図４】フローチャート（その２）
【図５】フローチャート（その３）
【図６】本発明の第２の実施形態を示すフローチャート
【発明を実施するための形態】
【００１１】
（第１の実施形態）
以下、本発明のコーリングカード対応機能付き電話装置をＢｌｕｅｔｏｏｔｈ（登録商標）（以下、ＢＴと称する）通信機能及びハンズフリー通話機能を有するＢＴ対応のハンズフリー通話付き車載ナビゲーション装置に適用した第１の実施形態について、図１乃至図５を参照して説明する。尚、ここでは、車載ナビゲーション装置が搭載されている車両の車室内に、ＢＴ通信機能を有するＢＴ対応の携帯電話機が持込まれ、車載ナビゲーション装置と携帯電話機とがＢＴ通信可能な状態にある場合を説明する。
【００１２】
車載ナビゲーションシステム１は、車載ナビゲーション装置２と携帯電話機３（本発明でいう電話通信手段）とから構成されている。車載ナビゲーション装置２は、制御部４（本発明でいう制御手段、装置電源オン判定手段、装置電源オフ判定手段）と、ＢＴインタフェース（ＩＦ）部５（本発明でいうデータ転送プロトコル接続手段）と、通話音声処理部６と、記憶部７（本発明でいうカード情報記憶手段）と、表示制御部８と、タッチ操作入力部９と、信号入力部１０と、位置情報取得部１１（本発明でいう位置情報取得手段）
）と、地図データ記憶部１２とを備えて構成されている。
【００１３】
制御部４は、周知のマイクロコンピュータからなるＣＰＵ、ＲＡＭ、ＲＯＭ及びＩ／Ｏバス等を有し、車載ナビゲーション装置２の通信動作や情報管理動作等の動作全般を制御する。ＢＴインタフェース部５は、携帯電話機３との間でＢＴ通信を行う機能を有し、携帯電話機３との間でＢＴ通信回線（本発明でいう近距離無線通信回線）を接続している状態でＢＴの通信規格により定義されているハンズフリー通話を実現するためのハンズフリー・プロファイル（ＨＦＰ）及び各種データの転送を実現するためのオブジェクト・プッシュ・プロファイル（ＯＰＰ）（本発明でいうデータ転送プロトコル）等を同時接続（所謂マルチ接続）可能に構成されている。これらプロファイルは、機能毎に定義された通信プロトコルを意味している。
【００１４】
通話音声処理部６には車室内にあって例えばハンドルの近傍等のユーザが発した音声を集音し易い部位に配置されているマイクロホン１３が接続されていると共に、車載ナビゲーション装置２の外部に配置されているオーディオアンプ１４が接続されており、オーディオアンプ１４には２個のスピーカ１５、１６が接続されている。スピーカ１５は例えば運転席ドアに配置され、スピーカ１６は例えば助手席ドアに配置されている。又、オーディオアンプ１４にはチューナーデッキ１７も接続されており、オーディオアンプ１４はチューナーデッキ１７が例えば音楽用記録媒体から再生した楽曲音やラジオ放送局から受信したラジオ番組を当該チューナーデッキ１７から入力すると、それら入力した楽曲音やラジオ番組を増幅してスピーカ１５、１６から出力させる。
【００１５】
記憶部７は、各種データを記憶可能な記憶領域を有して構成されており、コーリングカードのカード情報を記憶可能なカード情報記憶領域を有して構成されている。カード情報記憶領域は、図２に示すように、複数のコーリングカードの個々に対応する複数のカード情報（アクセス番号及びＰＩＮコード）を記憶可能な領域が確保されている。尚、図２で示しているアクセス番号である「ａ１」、「ｂ１」、「ｃ１」…「ｎ１」は所定桁数の電話番号であり、ＰＩＮコードである「ａ２」、「ｂ２」、「ｃ２」…「ｎ２」は所定桁数の個別番号である。
【００１６】
又、記憶部７は、このようなコーリングカードのカード情報を記憶可能なカード情報記憶領域を有していることに加えて、例えば電話番号と記憶名との対応を表す電話帳データを記憶可能な電話帳データ記憶領域、車載ナビゲーション装置２からの発信動作又は当該車載ナビゲーション装置２との間でＨＦＰを接続している携帯電話機３からの発信動作に係る発信時刻と発信電話番号との対応を表す発信履歴データを記憶可能な発信履歴データ記憶領域、車載ナビゲーション装置２との間でＨＦＰを接続している携帯電話機３の着信動作に係る着信時刻と着信電話番号との対応を表す着信履歴データを記憶可能な着信履歴データ記憶領域等を有して構成されている。
【００１７】
信号入力部１０は、キースイッチからアクセサリ（ＡＣＣ）信号を入力し、制御部４は、キースイッチから入力しているＡＣＣ信号がオン（ハイレベル）である場合には車載ナビゲーション装置２を電源オン状態として車載バッテリからの動作電力を全ての機能ブロックに供給させることで通常動作させ（ウェイクアップ状態で動作させ）、一方、キースイッチから入力しているＡＣＣ信号がオフ（ロウレベル）である場合には車載ナビゲーション装置２を電源オフ状態として車載バッテリからの動作電力を限定した機能ブロックに供給させることで低消費電力動作させる（スリープ状態で動作させる）。
【００１８】
位置情報取得部１２は、ＧＰＳ衛星から送信されているＧＰＳ電波信号を受信して各種パラメータを演算するＧＰＳ受信機、加速度を計測するＧセンサ、走行距離を計測する距離センサ等を備え、それらＧＰＳ受信機の演算結果及び各種センサの計測結果に基づいて車両の現在位置を取得し、その取得した現在位置を表す位置情報を制御部４に出力する。地図データ記憶部１３は、道路形状や車線数等を表す道路データや交差点の位置や種別等を表す交差点データ等を含む周知の地図データを記憶可能に構成されている。
【００１９】
ディスプレイ装置１８は、各種表示画面を表示する表示装置１９と、表示画面上にタッチスイッチを形成するタッチ操作入力装置２０とを備えて構成されている。表示制御部８は、制御部４から表示指令通知を入力すると、その入力した表示指令通知に基づいてディスプレイ装置１８における表示装置１９の表示動作を制御する。タッチ操作入力部９は、ユーザが表示画面上に形成されているタッチスイッチを操作したことに応じてタッチ操作入力装置２０から操作検出通知を入力すると、その入力した操作検出通知を制御部４に出力し、制御部４は、タッチ操作入力部９から入力した操作検出通知を解析する。
【００２０】
制御部４は、周知のナビゲーション機能として、地図データ記憶部１２から読出した地図データで表される地図上に位置情報取得部１１から入力した位置情報に対応する現在位置を重畳表示させる機能、車両の現在位置が交差点に接近した場合に警告を通知する機能、ユーザがタッチ操作入力装置２０を操作することで入力した条件（例えば名称や電話番号）に該当する地点を目的地として設定する機能、現在位置から目的地に至るまでの経路探索を行う機能、探索した経路にしたがって経路案内を行う機能等を有している。又、制御部４は、ユーザがタッチ操作入力装置２０を操作することで入力したカード情報を記憶部７のカード情報記憶領域に記憶させる機能を有している。
【００２１】
携帯電話機３は、自機の動作全般を制御する制御部、通信網２１との間で通話を行う通話部、ＢＴ通信を行うＢＴインタフェース部、ユーザが操作する各種キーが配列されてなるキー入力部、通信網２１から自機に受信された受信メールに係る受信メール情報（着信日時、発信元、件名及び本文等）を記憶可能な受信メール情報記憶領域や自機から通信網２１に送信された電子メールである送信メールに係る送信メール情報（発信日時、発信先、件名及び本文等）を記憶可能な送信メール情報記憶領域や例えば電話番号と記憶名との対応を表す電話帳データ記憶領域等を有する記憶部、各種表示画面を表示する表示部、ユーザが発した音声を入力するマイクロホン、通話相手先から受信した音声を受話音声として出力するスピーカを備えて構成されている。
【００２２】
この場合、記憶部は、受信メール情報記憶領域や送信メール情報記憶領域や電話帳データ記憶領域等を有していることに加えて、上記した車載ナビゲーション装置２の記憶部７と同様にして、コーリングカードのカード情報を記憶可能なカード情報記憶領域を有している。そして、制御部は、ユーザがキー入力部を操作することで入力したカード情報を記憶部のカード情報記憶領域に記憶させる機能を有している。
【００２３】
又、携帯電話機３のＢＴインタフェース部は、車載ナビゲーション装置２との間でＢＴ通信を行う機能を有し、車載ナビゲーション装置２のＢＴインタフェース部５と同様にしてＨＦＰ及びＯＰＰ等を同時接続可能に構成されている。尚、上記した構成でいう通信網２１とは携帯電話基地局や基地局制御装置等の周知の携帯通話サービスを提供する設備を含むものである。尚、車載ナビゲーション装置２と携帯電話機３とが両者の間でＨＦＰ及びＯＰＰの他に電話帳データや発信履歴データや着信履歴データの転送を実現するためのフォンブック・アクセス・プロファイル（ＰＢＡＰ）や電子メールの転送を実現するためのメッセージ・アクセス・プロファイル（ＭＡＰ）等を接続可能であっても良い。ここでいう電子メールとは周知のコンピュータネットワークを通じて交換される文字メッセージや画像情報等の総称である。
【００２４】
次に、上記した構成の作用について、図３乃至図５を参照して説明する。図３は車載ナビゲーション装置２が行うＢＴ通信回線接続処理をフローチャートにより示しており、図４は車載ナビゲーション装置２が行うコーリングカードのカード情報を用いた通話処理をフローチャートにより示しており、図５は車載ナビゲーション装置２が行うＢＴ通信回線切断処理をフローチャートにより示している。以下、これらＢＴ通信回線接続処理、カード情報を用いた通話処理及びＢＴ通信回線切断処理を順次説明する。尚、ここでは携帯電話機３と車載ナビゲーション装置２とが両者の間でＢＴ通信回線を接続可能な状態（ＢＴ通信圏内）であり且つハンズフリー通話を行うことを前提として説明する。
【００２５】
（１）ＢＴ通信回線接続処理
制御部４は、上記したようにキースイッチから入力しているＡＣＣ信号がオフである場合には車載ナビゲーション装置２を電源オフ状態として車載バッテリからの動作電力を限定した機能ブロックに供給させることで低消費電力動作させており、ＡＣＣ信号がオンになった否かを監視するＡＣＣ信号監視処理を行っている。ここで、制御部４は、ＡＣＣ信号がオンになったと判定すると、車載ナビゲーション装置２を電源オン状態として車載バッテリからの動作電力を全ての機能ブロックに供給させることで通常動作させ、ＡＣＣ信号監視処理からメイン処理に移行し、図３に示すＢＴ通信回線接続処理を割込み処理で開始する。
【００２６】
制御部４は、ＢＴ通信回線接続処理を開始すると、ＢＴ接続要求をＢＴインタフェース部５から携帯電話機３に送信させ（ステップＳ１）、携帯電話機３からＢＴ接続応答をＢＴインタフェース部５により受信するのを待機する（ステップＳ２）。次いで、制御部４は、携帯電話機３から当該携帯電話機３を識別可能である例えばＢＴアドレス等の識別情報が含まれているＢＴ接続応答をＢＴインタフェース部５により受信したと判定すると（ステップＳ２にて「ＹＥＳ」）、ＢＴインタフェース部５と携帯電話機３との間でＢＴ通信回線を接続させ（ステップＳ３）、ハンズフリー通話を実現するためのＨＦＰを接続させ（ステップＳ４）、各種データ転送を実現するためのＯＰＰを接続させる（ステップＳ５）。この場合、制御部４は、ＢＴ接続応答に含まれている識別情報を解析することでＢＴ通信回線の接続相手先である携帯電話機３を識別する。
【００２７】
次いで、制御部４は、携帯電話機３から当該携帯電話機３に記憶されているカード情報をＢＴインタフェース部５により受信するのを待機する（ステップＳ６）。ここで、ユーザが携帯電話機３のキー入力部を操作し、携帯電話機３に記憶されているカード情報の転送を指示すると、携帯電話機３のカード情報記憶領域に記憶させているカード情報が携帯電話機３から車載ナビゲーション装置２に送信される。制御部４は、携帯電話機３から当該携帯電話機３に記憶されているカード情報をＢＴインタフェース部５により受信したと判定すると（ステップＳ６にて「ＹＥＳ」）、その携帯電話機３から受信されたカード情報を記憶部７のカード情報記憶領域に記憶させ（ステップＳ７）、ＢＴ通信回線接続処理を終了してメイン処理に戻る。
【００２８】
これにより、ユーザは、複数のコーリングカードの個々に対応する複数のカード情報を携帯電話機３に予め記憶させておき、車載ナビゲーション装置２の装置電源をオフからオンに切換えた後に、携帯電話機３を操作してカード情報の転送を指示することで、携帯電話機３に予め記憶させておいた複数のコーリングカードの個々に対応する複数のカード情報を携帯電話機３から車載ナビゲーション装置２に転送させて記憶させることができる。
【００２９】
即ち、本実施形態では、カード情報を車載ナビゲーション装置２に記憶させる方法としては、ディスプレイ装置１８のタッチ操作入力装置２０を操作することで車載ナビゲーション装置２に直接的に記憶させる方法と、携帯電話機３のキー入力部を操作することで携帯電話機３に記憶させた後に転送させることで車載ナビゲーション装置２に間接的に記憶させる方法との２通りの方法があり、ユーザは、これら何れかの方法でコーリングカードのカード情報を車載ナビゲーション装置２に記憶させることが可能である。
【００３０】
（２）カード情報を用いた通話処理
制御部４は、上記したようにキースイッチから入力しているＡＣＣ信号がオンである場合にはメイン処理を行っており、ユーザが発信先を設定したか否かを監視している。ここで、制御部４は、ユーザが例えば発信先の電話番号を直接入力したり電話帳データを参照して選択したりすることで発信先を設定したと判定すると、メイン処理から図４に示すカード情報を用いた通話処理を割込み処理で開始する。
【００３１】
制御部４は、カード情報を用いた通話処理を開始すると、その時点で記憶部７のカード情報記憶領域に記憶されているカード情報を参照し（ステップＳ１１）、その参照したコーリングカードのカード情報に基づいて、カード情報のアクセス番号を発信電話番号として携帯電話機３から発信させてセンター（コーリングカードのカード情報を用いた通話サービスを提供するセンター）との間で通話回線を接続させ、カード情報のＰＩＮコードを携帯電話機３からセンターに送信させる（ステップＳ１２）。
【００３２】
そして、制御部４は、これよりも先にユーザが設定した発信先の電話番号をセンターに送信させる（ステップＳ１３）。尚、この場合、制御部４は、記憶部７のカード情報記憶領域に単一のカード情報が記憶されている場合には、そのカード情報を用いるが、一方、記憶部７のカード情報記憶領域に複数のカード情報が記憶されている場合には、それら複数のカード情報のうち何れかを所定の選択基準（例えばユーザが予め設定した優先順位等）にしたがって選択して用いる。
【００３３】
センターは、このようにして携帯電話機３からＰＩＮコードを受信すると、その受信したＰＩＮコードの認証結果が正であることを条件として携帯電話機３と当該携帯電話機３から受信した発信先の電話番号が付与されている通話相手先との間で通話回線を接続させる。制御部４は、このようにして携帯電話機３と発信先の電話番号が付与されている通話相手先との間で通話回線が接続されると、コーリングカードのカード情報を用いたハンズフリー通話を行う（ステップＳ１４）。これ以降、携帯電話機３と車載ナビゲーション装置２との間で音声パスが開通されることで送話音声及び受話音声が転送され、通信網２１から携帯電話機３に受信された受話音声が携帯電話機３から車載ナビゲーション装置２に転送されてスピーカ１５、１６から出力されると共にマイクロホン１３に入力された送話音声が車載ナビゲーション装置２から携帯電話機３に転送されて携帯電話機３から通信網１９に送信されることになる。
【００３４】
（３）ＢＴ通信回線切断処理
制御部４は、上記したようにキースイッチから入力しているＡＣＣ信号がオンである場合にはメイン処理を行っており、ＡＣＣ信号がオフになったか否かを監視している。ここで、制御部４は、ＡＣＣ信号がオフになったと判定すると、メイン処理から図５に示すＢＴ通信回線切断処理を割込み処理で開始する。
【００３５】
制御部４は、ＢＴ通信回線切断処理を開始すると、ＢＴ切断要求をＢＴインタフェース部５から携帯電話機３に送信させ（ステップＳ２１）、携帯電話機３からＢＴ切断応答をＢＴインタフェース部５により受信するのを待機する（ステップＳ２２）。ここで、制御部４は、ＢＴ切断応答をＢＴインタフェース部５により受信したと判定すると（ステップＳ２２にて「ＹＥＳ」）、ＢＴインタフェース部５と携帯電話機３との間で接続させているＢＴ通信回線を切断させ（ステップＳ２３）、その時点で記憶部７のカード情報記憶領域に記憶されているカード情報を消去し（ステップＳ２４）、ＢＴ通信回線切断処理を終了してメイン処理に戻る。
【００３６】
以上に説明したように第１の実施形態によれば、車載ナビゲーション装置２において、装置電源がオフからオンに切換わると、車載ナビゲーション装置２と携帯電話機３との間でＢＴ通信回線が接続されてＯＰＰが接続され、ユーザが携帯電話機３を操作することで当該携帯電話機３に記憶されているカード情報が当該携帯電話機３から転送されて記憶部７に記憶されるように構成したので、カード情報を携帯電話機３に予め記憶させておき、その後、装置電源をオンさせて携帯電話機３を操作することで、携帯電話機３に予め記憶させておいたカード情報を携帯電話機３から車載ナビゲーション装置２に転送させて記憶させることができる。その結果、ユーザが車載ナビゲーション装置２側のタッチ操作入力装置２０を操作してカード情報を入力する必要がなくなり、ユーザが携帯可能な携帯電話機３を使用することでカード情報を入力する環境の自由度を高めることができ、カード情報が第三者（同乗者）に見られるという状況を回避することができ、セキュリティを高めることができる。
【００３７】
又、装置電源がオンからオフに切換わると、カード情報記憶領域に記憶されているカード情報を消去するように構成したので、装置電源がオフされた後にカード情報が残っていることで第三者に悪用されることを未然に回避することができ、セキュリティを高めることができる。
【００３８】
（第２の実施形態）
次に、本発明の第２の実施形態について、図６を参照して説明する。尚、上記した第１の実施形態と同一部分については説明を省略し、異なる部分について説明する。第２の実施形態はカード情報記憶領域に複数のカード情報が記憶されていることを前提とする場合を説明するものである。
【００３９】
制御部４は、カード情報を用いた通話処理を開始すると、その時点で位置情報取得部１２が取得している位置情報を解析し（ステップＳ３１）、その時点で記憶部７のカード情報記憶領域に記憶されている複数のカード情報を参照し（ステップＳ３２）、それら複数のカード情報のうち位置情報に対応するコーリングカードのカード情報を選択する（ステップＳ３３）。この場合、制御部４は、例えば通信会社が管理するサーバから位置情報とコーリングカードとの対応（何れのカード情報を用いた通話コストが最も安価であるか等のデータベース）をダウンロードすることで位置情報に対応するコーリングカードのカード情報を選択する。
【００４０】
次いで、制御部４は、位置情報を再取得する必要があるか否かを判定し（ステップＳ３４）、位置情報を再取得する必要があると判定すると（ステップＳ３４にて「ＹＥＳ」）、上記したステップＳ３１に戻り、Ｓ３１以降の処理を繰返して行う。一方、制御部４は、位置情報を再取得する必要がないと判定すると（ステップＳ３４にて「ＮＯ」）、その選択したコーリングカードのカード情報に基づいて、カード情報のアクセス番号を発信電話番号として携帯電話機３から発信させてセンター（コーリングカードのカード情報を用いた通話サービスを提供するセンター）との間で通話回線を接続させ、カード情報のＰＩＮコードを携帯電話機３からセンターに送信させ（ステップＳ３５）、これよりも先にユーザが設定した発信先の電話番号をセンターに送信させる（ステップＳ３６）、そして、制御部４は、このようにして携帯電話機３と発信先の電話番号が付与されている通話相手先との間で通話回線が接続されると、コーリングカードのカード情報を用いたハンズフリー通話を行う（ステップＳ３７）。
【００４１】
以上に説明したように第２の実施形態によれば、複数のコーリングカードの個々に対応する複数のカード情報がカード情報記憶領域に記憶されている場合であれば、それら複数のカード情報のうち現在位置に対応するカード情報を用いたハンズフリー通話を行うことができる。
【００４２】
（その他の実施形態）
本発明は、上記した実施形態にのみ限定されるものではなく、以下のように変形又は拡張することができる。
【００４３】
コーリングカード対応機能付き電話装置は、ハンズフリー機能を有する車載ナビゲーション装置に限らず、コーリングカードのカード情報を用いた通話を行う機能を有している装置であれば、例えばナビゲーション機能を有しない車載ハンズフリー装置等の別の車載装置であっても良いし、車両に搭載される車載装置に限らず、例えばユーザが携帯可能な携帯機器であっても良い。
【００４４】
携帯電話機から車載ハンズフリー装置にカード情報を転送させるのに使用するプロファイルは、ＯＰＰに限らず、他のプロファイルであっても良い。又、ＢＴ通信回線が接続された後に、携帯電話機から車載ハンズフリー装置にカード情報が自動的に転送される構成であっても良い。
装置電源がオンからオフに切換わった後にカード情報を消去することに限らず、装置電源がオンからオフに切換わらなくともＨＦＰが切断された後にカード情報を消去するようにしても良い。
【符号の説明】
【００４５】
図面中、２は車載ナビゲーション装置（コーリングカード対応機能付き電話装置）、３は携帯電話機（電話通信手段）、４は制御部（制御手段、装置電源オン判定手段、装置電源オフ判定手段）、５はＢＴインタフェース部（カード情報受信手段、データ転送プロトコル接続手段）、７は記憶部（カード情報記憶手段）、１１は位置情報取得部（位置情報取得手段）、２１は通信網である。
【図１】
2010232824.tif 000003
【図２】
2010232824.tif 000004
【図３】
2010232824.tif 000005
【図４】
2010232824.tif 000006
【図５】
2010232824.tif 000007
【図６】
2010232824.tif 000008